(57)【要約】【課題】光源からの距離による輝度低下を低減できる表示装置等を提供する。【解決手段】表示装置は、一面側からの光の一部又は全部を他面側に透過させる表示パネルと、表示パネルの一面側に設けられる照明装置と、を備え、照明装置は、光を発する光源１１と、透光性を有し、表示パネルと対向するＺ方向の配置が光源１１の配置に対応する導光部材２０とを備え、導光部材２０は、光源１１が内側に配置される孔２１と、孔２１に対してＸ−Ｙ平面方向の周りを囲う導光部Ｄとを有し、導光部Ｄの光源基板１０側には、Ｚ方向及びＸ−Ｙ平面に対して傾斜する第１傾斜面２３が形成されている。【選択図】図５
2020106690.tif 000002
【特許請求の範囲】
【請求項１】
一面側からの光の一部又は全部を他面側に透過させる表示パネルと、
前記表示パネルの前記一面側に設けられる照明装置と、を備え、
前記照明装置は、
光を発する光源と、
透光性を有し、前記表示パネルと対向する第１方向の配置が前記光源の配置に対応する導光部材とを備え、
前記導光部材は、
前記第１方向に開口して前記光源が内側に配置される孔と、
前記孔の周囲を囲う導光部とを有し、
前記導光部の一面側には、前記第１方向及び前記第１方向に直交する平面に対して傾斜する第１傾斜面が形成されている
表示装置。
【請求項２】
前記第１傾斜面は、前記光源に対する位置ならびに前記第１方向及び前記平面に対する角度がそれぞれ異なる複数の傾斜を含む
請求項１に記載の表示装置。
【請求項３】
前記導光部の他面側には、前記第１方向及び前記平面に対して傾斜する第２傾斜面が形成されている
請求項１又は２に記載の表示装置。
【請求項４】
前記第２傾斜面は、前記光源に対する位置ならびに前記第１方向及び前記平面に対する角度がそれぞれ異なる複数の傾斜を含む
請求項３に記載の表示装置。
【請求項５】
前記第２傾斜面は、前記表示パネルと対向する前記光源の端部の位置に対して前記表示パネル側に突出する突出部を含む
請求項４に記載の表示装置。
【請求項６】
前記突出部の前記表示パネル側に設けられる被覆部材を備える
請求項５に記載の表示装置。
【請求項７】
前記光源と前記導光部は、前記表示パネルと対向する端部が前記平面に沿う同一平面上に位置する
請求項１から４のいずれか一項に記載の表示装置。
【請求項８】
一面側からの光の一部又は全部を他面側に透過させる表示パネルの前記一面側に設けられる照明装置であって、
光源と、
透光性を有し、前記表示パネルと対向する第１方向の配置が前記光源の配置に対応する導光部材とを備え、
前記導光部材は、
前記第１方向に開口して前記光源が内側に配置される孔と、
前記孔の周囲を囲う導光部とを有し、
前記導光部の一面側には、前記第１方向及び前記第１方向に直交する平面に対して傾斜する第１傾斜面が形成されている
照明装置。
【請求項９】
一面側からの光の一部又は全部を他面側に透過させる表示パネルの前記一面側に設けられる照明装置が有する光源が配置され、前記表示パネルと対向する第１方向に開口している孔と、
透光性を有し、前記孔の周囲を囲う導光部とを有し、
前記導光部の一面側には、前記第１方向及び前記第１方向に直交する平面に対して傾斜する第１傾斜面が形成されている
導光部材。
【請求項１０】
第１方向に開口して内側に光源が配置される孔の周囲を囲う透光性の導光部の一面側に前記第１方向及び前記第１方向に直交する平面に対して傾斜する第１傾斜面が形成されている
導光構造。
【発明の詳細な説明】
【技術分野】
【０００１】
本発明は、表示装置、照明装置、導光部材及び導光構造に関する。
【背景技術】
【０００２】
複数の点状光源を所定の間隔で配置して、表示パネルを背面側から照明する構成が知られている（例えば特許文献１）。
【先行技術文献】
【特許文献】
【０００３】
【特許文献１】特開２０１６−１９２２６３号公報
【発明の概要】
【発明が解決しようとする課題】
【０００４】
発光ダイオード（ＬＥＤ：light  emitting  diode）のような点状光源を採用すると、ＬＥＤが直下に位置する箇所の輝度が相対的に最も明るく、ＬＥＤ同士の間隔に対応する箇所の輝度が相対的に暗くなる。
【０００５】
本発明は、上記の課題に鑑みてなされたもので、光源からの距離による輝度低下を低減できる表示装置、照明装置、導光部材及び導光構造を提供することを目的とする。
【課題を解決するための手段】
【０００６】
本発明の一態様による表示装置は、一面側からの光の一部又は全部を他面側に透過させる表示パネルと、前記表示パネルの前記一面側に設けられる照明装置と、を備え、前記照明装置は、光を発する光源と、透光性を有し、前記表示パネルと対向する第１方向の配置が前記光源の配置に対応する導光部材とを備え、前記導光部材は、前記第１方向に開口して前記光源が内側に配置される孔と、前記孔の周囲を囲う導光部とを有し、前記導光部の一面側には、前記第１方向及び前記第１方向に直交する平面に対して傾斜する第１傾斜面が形成されている。
【０００７】
本発明の一態様による照明装置は、一面側からの光の一部又は全部を他面側に透過させる表示パネルの前記一面側に設けられる照明装置であって、光源と、透光性を有し、前記表示パネルと対向する第１方向の配置が前記光源の配置に対応する導光部材とを備え、前記導光部材は、前記第１方向に開口して前記光源が内側に配置される孔と、前記孔の周囲を囲う導光部とを有し、前記導光部の一面側には、前記第１方向及び前記第１方向に直交する平面に対して傾斜する第１傾斜面が形成されている。
【０００８】
本発明の一態様による導光部材は、一面側からの光の一部又は全部を他面側に透過させる表示パネルの前記一面側に設けられる照明装置が有する光源が配置され、前記表示パネルと対向する第１方向に開口している孔と、透光性を有し、前記孔の周囲を囲う導光部とを有し、前記導光部の一面側には、前記第１方向及び前記第１方向に直交する平面に対して傾斜する第１傾斜面が形成されている。
【０００９】
本発明の一態様による導光構造は、第１方向に開口して内側に光源が配置される孔の周囲を囲う透光性の導光部の一面側に前記第１方向及び前記第１方向に直交する平面に対して傾斜する第１傾斜面が形成されている。
【図面の簡単な説明】
【００１０】
【図１】図１は、実施形態の表示装置が備える主要構成を示す模式的な積層構造図である。
【図２】図２は、照明装置の主要構成を他面側から見た場合を示す模式的な斜視図である。
【図３】図３は、光源と導光部材との関係を示すＸ−Ｙ平面図である。
【図４】図４は、図３のＡ−Ａ断面図である。
【図５】図５は、図４の範囲Ｂ内の構成を拡大して示す断面図である。
【図６】図６は、変形例１が有する特徴的な構成を拡大して示す断面図である。
【図７】図７は、変形例２が有する特徴的な構成を拡大して示す断面図である。
【図８】図８は、変形例３が有する特徴的な構成を拡大して示す断面図である。
【図９】図９は、変形例４が有する特徴的な構成を拡大して示す断面図である。
【図１０】図１０は、光源と変形例４の導光部材との関係を示すＸ−Ｙ平面図である。
【図１１】図１１は、光源と変形例５の導光部材との関係を示すＸ−Ｙ平面図である。
【図１２】図１２は、鏡面加工が施された構成例を示す図である。
【図１３】図１３は、第２傾斜面２２が省略された導光部材の構成例を示す図である。
【図１４】図１４は、本発明と異なる表示装置の構成例を示す図である。
【発明を実施するための形態】
【００１１】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
図１は、実施形態の表示装置１００が備える主要構成を示す模式的な積層構造図である。表示装置１００は、表示パネルＰと、照明装置１とを備える。表示パネルＰは、光透過型であり、透過する光を用いて画像を表示する。図１では、模式的にＺ方向に沿う光に符号Ｌを付しているが、後述するように、照明装置１からの光はＺ方向に沿う光に限らない。
【００１３】
具体的には、表示パネルＰは、一面（背面Ｐ１）側から照明されて他面（表示面Ｐ２）側に画像を表示する。表示パネルＰは、例えば複数の画素が配置された透過型の液晶表示パネルであるが、半透過型の液晶表示パネルであってもよいし、他の方式による透過型の表示パネルであってもよい。照明装置１は、表示パネルＰの一面側に設けられて表示パネルＰを照明する。以下の説明では、互いに直交する３方向をＸ方向、Ｙ方向及びＺ方向とする。照明装置１と表示パネルＰはＺ方向で対向している。また、表示パネルＰの表示面はＸ−Ｙ平面に相当する。なお、これら３方向は互いに直交していない構成を採用することも可能である。
【００１４】
図２は、照明装置１の主要構成を他面側から見た場合を示す模式的な斜視図である。図２では、光源基板１０、光源１１等の他の構成に対する導光部材２０の位置関係を簡便に示す目的で、後述する図３等を参照して説明する導光部材２０の具体的な形状に関する描写を省略している。また、図２では、他面側から見た光源１１と導光部材２０との位置関係をより明確に示す目的で、光学シート３０の構成を一部切り欠いた状態で図示している。
【００１５】
図１及び図２に示すように、照明装置１は、光源基板１０と、複数の光源１１と、導光部材２０と、光学シート３０とを備える。光源基板１０は、複数の光源１１が配置される基板であり、光源１１に接続される配線等を有する。
【００１６】
光源１１は、例えばＬＥＤのような発光素子であり、電力供給に応じて光を発する。光源１１に対する電力供給は、光源基板１０の配線を介して行われる。光源基板１０には図示しないＬＥＤの駆動回路が接続される。より具体的には、光源１１の底面に端子が形成され、当該端子が光源基板１０の配線に接続されている。各光源１１は、当該駆動回路の制御下で個別に点灯／消灯が可能となっている。また、点灯時の明るさも個別に調整可能となっている。
【００１７】
図２に示すように、複数の光源１１は、Ｘ−Ｙ平面に沿ってＸ方向及びＹ方向にマトリクス状に配置される。図２では、Ｘ方向に５つ並び、Ｙ方向に５つ並ぶ５×５の光源１１がマトリクス状に配置されている例を示しているが、光源１１の数及び配置は任意である。なお、複数の光源１１の配置は、上記マトリクス状に限らず、千鳥状配置や放射状配置、及びこれらを一部欠落させた配置を含め様々な配置が可能である。
【００１８】
なお、図１の光源１１からの矢印で模式的に示すように、光源１１からの光は、放射状に照射される。より具体的には、光源１１からの光は、光源１１の上面からのみならず、側面からも出射される。すなわち、光源１１からの光の多くはＺ方向の成分のみならず、Ｘ方向及びＹ方向の成分を有している。従って、光源１１からの光は、Ｚ方向に限らず、Ｘ−Ｙ平面に沿う方向の光も含む。
【００１９】
導光部材２０は、所定の間隔で複数の孔（貫通孔）２１と、孔２１の周囲を囲う導光部Ｄとを有する。導光部材２０を光源基板１０に重ねて配置することにより、各光源１１が孔２１に収容される。
【００２０】
導光部材２０は、透光性を有する合成樹脂又はガラスを用いて形成された部材であるが、光に対する面の角度によって光を反射又は透過させる透光性の部材であれば、具体的な素材については適宜変更可能である。すなわち、導光部材２０自体の屈折率、反射率や光拡散性は、適宜変更可能である。導光部材２０は、光源１１からの光を表示パネルＰ側に誘導する。導光部材２０が光源１１からの光に与える具体的な影響については後述する。
【００２１】
光学シート３０は、光源１１から発せられた光を拡散させる。図２に示す光学シート３０は、それぞれ光学特性が異なる４つの光学シート３１，３２，３３，３４が積層された構成であるが、これに限られるものでなく、単層の光学シートであってもよいし、２層、３層又は５層以上の積層構造を有する光学シートであってもよい。
【００２２】
図３は、光源１１と導光部材２０との関係を示すＸ−Ｙ平面図である。図４は、図３のＡ−Ａ断面図である。導光部材２０は、所定の間隔で設けられる複数の孔２１と、これら複数の孔２１の周囲に設けられる導光部Ｄとを備えている。導光部Ｄは、第２傾斜面２２、第１傾斜面２３、対向面２４を有する。また、第２傾斜面２２は孔２１の壁面の一部を構成する。なお、導光部材２０は透光性の板材からなるが、対向面２４を含む平面を出射面、光源基板１０と接触する面を含む平面を背面と称することがある。
【００２３】
図５は、図４の範囲Ｂ内の構成を拡大して示す断面図である。孔２１は、導光部材２０の光源基板１０側の面（背面）から表示パネルＰ側の面（出射面）まで貫通する孔である。光源１１からのＺ方向に出射される光は、光学シート３０を通過して表示パネルＰを照明する。
【００２４】
より具体的には、孔２１は、背面側の第１開口２１ａ及び出射面側の第２開口２１ｂを有し、いずれもＸ−Ｙ平面の形状が矩形状である。また、実施形態では、光源１１は、Ｘ−Ｙ平面の形状が矩形状であってＸ方向及びＹ方向の寸法が１［ｍｍ］である。これに対し、第１開口２１ａのＸ方向及びＹ方向の寸法が１．６［ｍｍ］である。理想的には、光源１１は、Ｘ−Ｙ平面視点で孔２１の中央に配置されるが、厳密に中央であることは必須でない。光源１１は、孔２１の内側に配置されていればよい。なお、上記数値は例示であって、適宜変更可能である。このように、導光部材２０は、第１方向（Ｚ方向）に開口して内側に光源１１が配置される孔２１が設けられた導光構造を有する。
【００２５】
第２傾斜面２２は、導光部材２０の出射面側に設けられる。第２傾斜面２２は、Ｚ方向及びＸ−Ｙ平面に対して傾斜する。具体的には、第２傾斜面２２は、孔２１の中途部２１ｄを基端として、当該中途部２１ｄから連続して出射面に向かうにつれて孔の中心線２１ｃから離間する方向に延在する孔２１の内壁面である。第２傾斜面２２によって、光源１１から発せられる光の一部は、導光部材２０による反射及び屈折の少なくとも一方の影響を受けることなく、即ち、導光部材２０を介することなく出射される。これらの光はＺ方向の成分が多く含まれており、導光部材２０による誘導を必要とすることなく十分な輝度で表示パネルＰに向けて出射される。なお、第２傾斜面２２の基端部となる上記中途部２１ｄは、導光部材２０の厚さ方向中心よりも背面側に設けられることが好ましい。また、当該中途部２１ｄは、孔２１に収容された光源１１の出射面よりも背面側が好ましく、光源１１の光源基板１０からの高さの半分よりも背面側に設けられることがより好ましい。
【００２６】
第１傾斜面２３は、導光部材２０の背面側に設けられる。第１傾斜面２３は、Ｚ方向及びＸ−Ｙ平面に対して傾斜する。具体的には、第１傾斜面２３は、孔２１の第１開口２１ａの開口縁２５を基端として、当該開口縁２５から連続して出射面に向かうにつれて孔２１の中心線２１ｃから離間する方向に延在する。開口縁２５を基端とした第１傾斜面２３の傾斜は、Ｘ−Ｙ平面に沿う任意の方向において光源１１から最も遠い終端ＣＬまで連続する。終端ＣＬの位置は、例えば、隣り合う２つの孔２１の中心線２１ｃから等距離となる中間線上に位置する。隣り合う２つの孔２１の間には、上記中間線を境に対称的に連続する２つの第１傾斜面２３を屋根部とした空間ＳＰが形成される。このように、導光部材２０は、Ｚ方向及びＸ−Ｙ平面に対して傾斜する第１傾斜面２３が形成された導光構造を有する。
【００２７】
なお、実施形態では、Ｘ方向及びＹ方向の光源１１の配置ピッチは６［ｍｍ］である。導光部材２０の孔２１のピッチも６ｍｍである。従って、ある孔２１の中心から終端ＣＬまでのＸ方向（Ｙ方向）の距離は３［ｍｍ］であるが、これは一例であって適宜変更可能である。
【００２８】
図５に示すように、導光部材２０の構造は、終端ＣＬを挟んで隣り合う２つの光源１１の間で対称である。
【００２９】
図５に示すように、孔２１の内周面に対してＸ−Ｙ平面に沿って進入した光Ｌ２、Ｌ３より具体的には、光源１１から出射される光のうち、Ｚ方向成分よりもＸ−Ｙ成分が大きいもの、或いは、Ｚ方向のマイナスの成分を含む光の一部は、第２傾斜面２２から導光部材２０の内部に向かって屈折して入射し、第１傾斜面２３側に向かう。そしてこれら光Ｌ２、Ｌ３は、第１傾斜面２３によって表示パネルＰ側に反射されることで、光源１１からの出射角度に比して光源から遠方となる位置で表示パネルＰ側に向かう。なお、第１傾斜面２３と第２傾斜面２２は、Ｘ−Ｙ平面に対する傾斜角度が異なる。第１傾斜面２３は、第２傾斜面２２よりもＸ−Ｙ平面に対する傾斜角度が急角度である。
【００３０】
なお、第１傾斜面２３の傾斜角度、第２傾斜面２２の傾斜角度、起点の位置は、光源１１から発せられる光のうちＸ−Ｙ平面に沿って射出される光をより表示パネルＰ側に向けやすくなるよう調整されることが望ましい。
【００３１】
対向面２４は、導光部Ｄの出射面側に設けられる。対向面２４は、Ｘ−Ｙ平面に沿い、光学シートと対向する。対向面２４は、図５の光Ｌ２，Ｌ３が示すように、導光部Ｄ内部を通過する光が出射する面である。対向面２４で生じる屈折によって光Ｌ２，Ｌ３の出射角度が若干大きくなる。
【００３２】
実施形態では、光源１１と導光部材２０は、光学シート３０と対向する面がＸ−Ｙ平面に沿う同一平面上に位置する。具体的には、図５に示すように、導光部材２０の厚さＨは、光源基板１０に対する光源１１の高さに対応する。また、光源１１の上面と導光部材２０の出射面とが一致しているともいえる。このため、光源基板１０に対する対向面２４のＺ方向の位置は、光源基板１０を底部とした光源１１の上面と同じ位置である。なお、これら光源１１の上面と導光部材２０の出射面とが同一平面上にない構成も採用することができる。例えば、導光部材２０の出射面よりも光源１１の上面の方が光源基板１０に近い位置である構成を採用することができる。この場合、当該光源１１の上面（頭頂部）は孔２１内に位置することになる。
【００３３】
なお、実施形態では、導光部材２０の厚みＨが０．８［ｍｍ］であるが、これは一例であって適宜変更可能である。
【００３４】
以上、実施形態によれば、図５を参照して説明した光Ｌ２，Ｌ３のように、導光部Ｄ内の第１傾斜面２３でこれらの光Ｌ２，Ｌ３が反射することによって光源１１からの光をより効率的に表示パネルＰ側に向かわせることができる。また、光Ｌ２，Ｌ３のように、光源１１の近傍からではなく、導光部材２０の内部を光が通過することで、光源１１からＸ−Ｙ平面視点でより離れた位置に光を拡散させることができる。これにより、光源１１からの距離によるＸ−Ｙ平面視点での輝度ムラを低減できる。
【００３５】
また、図５を参照して説明した光Ｌ１のように、第２傾斜面２２によって、光路中に導光部Ｄが介在しないことによって、反射を伴わなくても表示パネルＰ側に向かう光をそのまま表示パネルＰ側に向かわせることができる。
【００３６】
また、導光部Ｄは光源１１の周囲に設けられている。これによって導光部材２０は光源１１の厚さ相当の厚みＨに抑えられている。より具体的には、光源１１の直上及びその周囲には導光部Ｄが設けられず、光源１１からの光のうち、Ｚ方向の成分がＸ方向やＹ方向の成分よりも大きい光は導光部Ｄを介することなく表示パネルＰ側に出射される。このため、導光部材２０の厚みＨが光源１１の厚み程度に抑えられ、より薄型の光源装置１、ひいてはより薄型の表示装置１００が提供される。
【００３７】
仮に、導光部材２０がない場合、図１４に示すように、光源１１からの光を拡散させるために、すなわち、光源間の輝度ムラを十分に低減するためには、光源１１と光学シート３０との間に光の拡散のための間隔ａｐを大きく（例えば光源１１の高さ以上となる大きさ）設ける必要があり、当該間隔ａｐによって表示装置全体の厚みが増すことによって薄型化をより困難にする。これに対し、実施形態によれば、図１に示すように導光部材２０がない場合に比して間隔ａｐをより小さく（例えば光源１１の高さと同じかそれ以下の大きさ）することができ、より薄型の表示装置１００を提供できる。
【００３８】
なお、間隔ａｐは、０であってもよいし、０を超える値であってもよいが、実施形態の光源１１のピッチを考慮しても１［ｍｍ］以下にすることができる。
【００３９】
（変形例）
以下、図６から図１１を参照して、実施形態の変形例について説明する。変形例の説明では、実施形態と同様の構成に同じ符号を付して説明を省略する。
【００４０】
（変形例１）
図６は、変形例１が有する特徴的な構成を拡大して示す断面図である。図６及び後述する図７から図９は、実施形態の説明における図４の範囲Ｂ内の構成を拡大して示す断面図である。
【００４１】
変形例１において導光部材２０Ａの背面側に設けられる傾斜面は、光源１１に対する位置及びＸ−Ｙ平面に対する角度がそれぞれ異なる複数の傾斜（傾斜２３Ａ、溝２６）を含む。具体的には、変形例１の導光部材２０Ａは、実施形態の第１傾斜面２３に代えて設けられる傾斜２３Ａと、孔２１が並ぶ方向に隣り合う傾斜２３Ａ同士の中間位置に設けられる溝２６とを含む。傾斜２３Ａと溝２６とは、Ｘ−Ｙ平面に対する傾斜の角度が異なる。図６に示す例では、溝２６は、傾斜２３ＡよりもＸ−Ｙ平面に対して大きい角度を有して対向面２４Ａの背後に設けられている。これによって、より多くの光を対向面２４Ａから出射することができる。
【００４２】
図６及び後述する図７から図９に示す傾斜２３Ａは、第１傾斜面２３に比してＸ−Ｙ平面に対する傾斜の角度が小さいが、これは一例であってこれに限られるものでない。傾斜２３Ａは、Ｘ−Ｙ平面に対する傾斜の角度が第１傾斜面２３と同様であってもよいし、第１傾斜面２３よりも大きい角度であってもよい。
【００４３】
また、図６及び後述する図７から図９に示す傾斜２２Ａは、実施形態の第２傾斜面２２に代えて設けられる。傾斜２２Ａは、第２傾斜面２２に比してＸ−Ｙ平面に対する傾斜の角度が小さいが、これは一例であってこれに限られるものでない。傾斜２２Ａは、Ｘ−Ｙ平面に対する傾斜の角度が第２傾斜面２２と同様であってもよいし、第２傾斜面２２よりも大きい角度であってもよい。これに伴い、図６及び後述する図７から図９に示す対向面２４Ａは、Ｘ方向の幅が対向面２４よりも小さくなっているが、これは一例であってこれに限られるものでない。対向面２４Ａの幅は、Ｘ−Ｙ平面に対する傾斜２２Ａの傾斜の角度に応じる。なお、溝２６は、傾斜２２ＡよりもＸ−Ｙ平面に対して大きい角度を有している。
【００４４】
（変形例２）
図７は、変形例２が有する特徴的な構成を拡大して示す断面図である。変形例２以降の変形例については、図６を参照して説明した変形例１との差異について説明し、同様の構成について同じ符号を付して省略する。
【００４５】
変形例２及び後述する変形例３，４では、導光部材の出射面側には、傾斜２２Ａに加えて、光源１１に対する位置及びＸ−Ｙ平面に対する角度が異なる複数の傾斜を含む。具体的には、変形例２の導光部材２０Ｂは、傾斜２２Ａに加えて、対向面２４Ｂに溝２７を有する。
【００４６】
溝２７は、孔２１に近い側から終端ＣＬに近づくに従って対向面２４Ｂから第１傾斜面２３に近づく傾斜面を有する。このように、傾斜２２Ａと溝２７とは、Ｘ−Ｙ平面に対する角度がそれぞれ異なる。
【００４７】
（変形例３）
図８は、変形例３が有する特徴的な構成を拡大して示す断面図である。変形例３の導光部材２０Ｃは、傾斜２２Ａに加えて、対向面２４Ｃに複数の溝２８を有する。各溝２８の深さは、溝２７よりも浅いが、同じであってもよいし、より深くてもよい。また、各溝２８の深さは、最外側から内側に向かうにしたがって深くなる構成を採用することも可能である。
【００４８】
（変形例４）
図９は、変形例４が有する特徴的な構成を拡大して示す断面図である。変形例４の導光部材２０Ｄは、傾斜２２Ａに加えて、対向面２４Ｄから表示パネルＰ側に突出する複数の突出部２９を有する。
【００４９】
図１０は、光源１１と変形例４の導光部材２０Ｄとの関係を示すＸ−Ｙ平面図である。突出部２９は、Ｘ方向に並ぶ複数の光源１１間の対向面２４ＤにおいてＹ方向に沿うよう設けられる。係る突出部２９は、対向面２４Ｄ毎に複数設けられる。Ｙ方向に沿う複数の突出部２９は、Ｘ方向に並ぶ。また、突出部２９は、Ｙ方向に並ぶ複数の光源１１間の対向面２４ＤにおいてＸ方向に沿うよう設けられる。係る突出部２９は、対向面２４Ｄ毎に複数設けられる。Ｘ方向に沿う複数の突出部２９は、Ｙ方向に並ぶ。
【００５０】
各突出部２９の断面形状は、図９に示すように、表示パネルＰ側を頂点とする二等辺三角形状である。突出部２９の傾斜面のＸ−Ｙ方向に対する角度は、傾斜２２Ａ、２３Ａよりも大きい。これにより、対向面２４Ｄからの出射光を増大させることができる。
【００５１】
また、Ｘ方向に沿う複数の突出部２９とＹ方向に沿う複数の突出部２９とが交差する位置には、被覆部材４０が設けられる。被覆部材４０は、突出部２９の表示パネルＰ側の頭頂部を覆うよう、導光部材２０Ｄの表示パネルＰ側に接着固定される。被覆部材４０は、例えば、透光性を有する無色の樹脂製のカバーであるが、これに限られるものでなく、具体的な素材については適宜変更可能である。
【００５２】
変形例４では、光学シート３０は、被覆部材４０が設けられた導光部材２０Ｄの表示パネルＰ側に積層される。これによって、突出部２９の物理的接触によって光学シート３１の光学特性が影響を受けることを抑制することができる。
【００５３】
図８に示す溝２８及び図９に示す突出部２９は、隣り合う２つの光源１１間に形成される数が６であるが、これは一例であってこれに限られるものでなく、適宜変更可能である。また、これら溝２８や突出部２９の角度や大きさ、数は適宜変更可能である。
【００５４】
（変形例５）
図１１は、光源１１と変形例５の導光部材２０Ｅとの関係を示すＸ−Ｙ平面図である。本変形例では、孔２１の第１開口２１ａ及び第２開口２１ｂがそれぞれ円状に形成されている。これに伴い、各傾斜面は、すり鉢状に形成される。
【００５５】
図１２は、鏡面加工が施された構成例を示す図である。第１傾斜面２３（又は傾斜２３Ａ及び溝２６）の光源基板１０側には、表示パネルＰ側に光をより確実に反射する鏡面加工を施してもよい。図１２では、図５に示す構成の第１傾斜面２３の光源基板１０側に鏡面加工部２３Ｍをさらに設けているが、これに限られるものでなく、傾斜２３Ａ及び溝２６の光源基板１０側にも鏡面加工部２３Ｍと同様の構成を設けてもよい。鏡面加工部２３Ｍは、例えば蒸着等の加工処理によって金属、合金又は酸化物等の化合物による薄膜を形成して当該薄膜を鏡面として機能させるようにしたものであるが、鏡面加工部２３Ｍの具体的な形成方法はこれに限られるものでなく適宜変更可能である。例えば、ミラーシートを貼り付けるようにしてもよい。
【００５６】
図１３は、第２傾斜面２２が省略された導光部材２０の構成例を示す図である。図５等を参照して説明した第２傾斜面２２は、必須でない。例えば図１３に示すように、図５の導光部材２０から第２傾斜面２２を省略した構成を採用してもよい。
【００５７】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００５８】
１  照明装置
１０  光源基板
１１  光源
２０  導光部材
２１  孔
２２  第２傾斜面
２３  第１傾斜面
２４  対向面
２５  底部
３０，３１，３２，３３，３４  光学シート
４０  被覆部材
１００  表示装置
Ｄ  導光部
Ｐ  表示パネル
Ｐ１  背面
Ｐ２  表示面
【図１】
2020106690.tif 000003
【図２】
2020106690.tif 000004
【図３】
2020106690.tif 000005
【図４】
2020106690.tif 000006
【図５】
2020106690.tif 000007
【図６】
2020106690.tif 000008
【図７】
2020106690.tif 000009
【図８】
2020106690.tif 000010
【図９】
2020106690.tif 000011
【図１０】
2020106690.tif 000012
【図１１】
2020106690.tif 000013
【図１２】
2020106690.tif 000014
【図１３】
2020106690.tif 000015
【図１４】
2020106690.tif 000016